(57)【特許請求の範囲】
【請求項１】
複数の電気部品を収容する収容空間を画成する空間画成部材と、前記空間画成部材の外側に配置される制御基板と、前記制御基板および前記複数の電気部品の接続を中継する中継基板とを備えた遊技機において、
前記中継基板が前記収容空間に配設されて、当該中継基板と前記制御基板側とを接続する配線が、前記空間画成部材に形成された配線挿通口に挿通されると共に、当該中継基板と前記電気部品側とを接続する配線が、前記収容空間の内側に収容され、
前記収容空間には、複数の電気部品が一方側および他方側に振り分けられて収容され、前記一方側に収容された複数の電気部品が、当該一方側に配置された前記中継基板と接続されると共に、前記他方側に収容された複数の電気部品が、当該他方側に配置された別の中継基板と接続されるよう構成された
ことを特徴とする遊技機。
【発明の詳細な説明】
【技術分野】
【０００１】
本発明は、制御基板と電気部品との電気的な接続を中継する中継基板を備えた遊技機に関するものである。
【背景技術】
【０００２】
例えば、遊技機の代表例の一つとしてのパチンコ機には、固定枠に開閉自在に組み付けられた本体枠に、パチンコ球が流下可能な遊技領域が前面側に形成された遊技盤が着脱自在に配設されている。遊技領域には、パチンコ球が入賞可能な入賞口が設けられており、パチンコ球が入賞口に入賞するか否かによって遊技者の興趣が高められる。遊技盤は、遊技領域を前面側に形成する板状部材と、この板状部材の後面に組み付けられる箱状部材とを備えており、該板状部材および箱状部材の内側には、演出装置や各種センサ等の各種部品を収容する収容空間が画成されている。また、遊技盤の後面には制御基板が配設されており、該制御基板と演出装置等とが遊技盤の後面に配設した中継基板を介して配線接続されている(例えば、特許文献１)。
【先行技術文献】
【特許文献】
【０００３】
【特許文献１】特開２００９−１１６７９号公報
【発明の概要】
【発明が解決しようとする課題】
【０００４】
ここで、中継基板を遊技盤の後面に配置する構成においては、収容空間に配置した演出装置やセンサ等の電気部品の配線を遊技盤の後面側に引き出して中継基板に接続する必要があることから、遊技盤の後面側で配線の取り回しが煩雑となる虞がある。
【０００５】
そこで本発明は、従来の技術に内在する前記問題に鑑み、これらを好適に解決するべく提案されたものであって、配線の取り回しが容易な遊技機を提供することを目的とする。
【課題を解決するための手段】
【０００６】
前記課題を克服し、所期の目的を達成するため、本願請求項１に係る遊技機は、
複数の電気部品(62,63,64a,64b,72,73,74)を収容する収容空間(53)を画成する空間画成部材(50)と、前記空間画成部材(50)の外側に配置される制御基板(34)と、前記制御基板(34)および前記複数の電気部品(62,63,64a,64b,72,73,74)の接続を中継する中継基板(36,37)とを備えた遊技機において、
前記中継基板(36)が前記収容空間(53)に配設されて、当該中継基板(36)と前記制御基板(34)側とを接続する配線が、前記空間画成部材(50)に形成された配線挿通口(56a)に挿通されると共に、当該中継基板(36)と前記電気部品(62,63,64a,64b)側とを接続する配線が、前記収容空間(53)の内側に収容され、
前記収容空間(53)には、複数の電気部品(62,63,64a,64b,72,73,74)が一方側および他方側に振り分けられて収容され、前記一方側に収容された複数の電気部品(62,63,64a,64b)が、当該一方側に配置された前記中継基板(36)と接続されると共に、前記他方側に収容された複数の電気部品(72,73,74)が、当該他方側に配置された別の中継基板(37)と接続されるよう構成されたことを要旨とする。
請求項１に係る発明によれば、中継基板を収容空間に配置することで、当該中継基板の破損を防止することができる。また、電気部品の配線を収容空間の外側に引き出して中継基板に接続する必要がないから、収容空間の外側での配線の取り回しを容易とすることができる。
また、収容空間に収容された電気部品と中継基板とを電気的に接続するための配線が過度に長くなるのを防止できるから、収容空間における配線の取り回しを容易とすることができる。
【０００７】
本願には、次のような技術的思想が含まれる。
前記収容空間(53)に収容された所定の電気部品(64a,64b)と電気的に接続されると共に前記中継基板(36)と電気的に接続された他の基板(39)を備え、
前記中継基板(36)と前記他の基板(39)とが基板面方向に重なる状態で前記収容空間(53)に配置されたことを要旨とする。
上記構成によれば、中継基板とは別体に他の基板を設け、両基板を基板面方向に重ねることで、中継基板が収容空間において占有するスペースを該中継基板の基板面と平行な方向に小さくすることができるから、収容空間における各種部品の設置スペースを大きく損なうことがない。
【０００８】
本願には、次のような技術的思想が含まれる。
前記中継基板(36)は、前記配線挿通口(56a)に対して前記電気部品(62,63,64a,64b)より近接するよう前記収容空間(53)に配設されたことを要旨とする。
上記構成によれば、収容空間内に収容された中継基板に対して制御基板側の配線を着脱し易くすることができる。
【００１０】
本願には、次のような技術的思想が含まれる。
前記中継基板(36)は、前記制御基板(34)に繋がる配線のコネクタが接続されるコネクタ接続部(CNa)が一方の基板面に配設されて、該一方の基板面に配設されたコネクタ接続部(CNa)が前記配線挿通口(56a)に臨むよう配置され、
前記中継基板(36)における前記一方の基板面を覆う被覆部材(90)を備え、
前記被覆部材(90)には、前記コネクタ接続部(CNa)を挿通させて前記配線挿通口(56a)に臨ませるコネクタ挿通口(97)が形成されたことを要旨とする。
上記構成によれば、制御基板側の配線を配線挿通口からコネクタ接続部に接続させ得る構成としつつ、収容空間の外側から配線挿通口を介して中継基板の一方の基板面に加工を施すといった不正行為を防止することができる。
【発明の効果】
【００１１】
本発明に係る遊技機によれば、配線の取り回しを容易とすることができる。
【図面の簡単な説明】
【００１２】
【図１】実施例に係るパチンコ機を示す正面図である。
【図２】実施例に係る遊技盤を示す正面図である。
【図３】実施例に係る設置部材から電飾パネルを取り外した状態を示す正面図である。
【図４】実施例に係る設置部材から電飾パネルを取り外した状態を示す背面図である。
【図５】実施例に係る設置部材における上中継基板の配設部位を示す要部拡大正面図である。
【図６】図５から上中継基板を取り外した状態を示している。
【図７】実施例に係る設置部材における要部の分解斜視図である。
【図８】(ａ)は、被覆部材の正面図であり、(ｂ)は、被覆部材に配置した上中継基板と、上接続基板との位置関係を示している。
【図９】図３のＡ−Ａ線断面図である。
【図１０】図３のＢ−Ｂ線断面図である。なお、遊技盤および設置部材を縦断した状態を示している。
【図１１】実施例に係るパチンコ機の電気的な接続関係を示す回路図である。
【発明を実施するための形態】
【００１３】
次に、本発明に係る遊技機につき、好適な実施例を挙げて、添付図面を参照しながら以下詳細に説明する。なお、遊技機としては、一般的なパチンコ機を例にして説明する。また、以下の説明において、「前」、「後」、「左」、「右」とは、特に断りのない限り、図１に示すようにパチンコ機を前側(遊技者側)から見た状態で指称する。
【実施例】
【００１４】
(パチンコ機１０について)
実施例に係るパチンコ機１０は、図１に示すように、前後に開口する矩形枠状に形成されて遊技店の図示しない設置枠台に縦置き姿勢で設置される固定枠としての外枠１１の開口前面側に、遊技盤２０を着脱可能に保持する本体枠としての中枠１２が開閉および着脱可能に組み付けられて、該遊技盤２０の裏側に、演出(表示演出)を実行可能な演出手段としての図柄表示装置(図柄表示手段)１７が着脱可能に配設されている。この図柄表示装置１７では、所定条件の成立(後述する始動入賞口３０へのパチンコ球の入賞)を契機として演出用の図柄(以下飾図という)を変動表示させて図柄変動演出を行うようになっている。また、中枠１２の前面側には、遊技盤２０を透視保護するガラス板や透明な合成樹脂材により形成された透視保護板１３ｂで前後に開口する窓口１３ａを覆うよう構成された装飾枠としての前枠(扉体)１３が開閉可能に組み付けられると共に、該前枠１３の下方にパチンコ球を貯留する下球受け皿１５が開閉可能に組み付けられている。更に、前枠１３の下部位置には、パチンコ球を貯留する上球受け皿１４が一体的に組み付けられており、前枠１３の開閉に合わせて上球受け皿１４が一体的に開閉するよう構成されている。なお、上球受け皿１４は、前枠１３と別体に形成して、中枠１２に対して開閉可能に組み付けるようにしてもよい。また、実施例では、図柄表示装置１７として、飾図の他に各種絵柄やキャラクタ等を表示可能な液晶パネルを収容ケースに収容した液晶表示装置が採用されているが、これに限られるものではなく、ドラム式の図柄表示装置やドットマトリックス式の図柄表示装置等の各種図柄を停止および変動表示可能な従来公知の各種の表示装置を採用し得る。
【００１５】
また、前枠１３には、窓口１３ａの外周を囲繞するよう枠ランプ(発光手段)１９が配設されると共に、前枠１３の上隅部に、音声や効果音を出力可能なスピーカ(音出力手段)１８が配設されている。すなわち、枠ランプ１９に設けられたＬＥＤ等の発光体(図示せず)を点灯・点滅したり、スピーカ１８から適宜の音声を出力することで、前記図柄表示装置１７での図柄変動演出に合わせて演出を行い得るよう構成されている。すなわち、前枠１３に配設された枠ランプ１９は、発光演出を実行可能な演出手段として機能すると共に、前枠１３に配設されたスピーカ１８は、音演出を実行可能な演出手段として機能している。なお、上球受け皿１４や下球受け皿１５に対して枠ランプ１９またはスピーカ１８を配設するよう構成してもよい。
【００１６】
前記中枠１２の右下方位置には、該中枠１２に配設された図示しない球発射装置を作動する操作ハンドル１６が設けられている。操作ハンドル１６は、左回転方向に付勢された操作レバー１６ａを備えており、該操作レバー１６ａを右回転するよう遊技者が回動操作することで球発射装置が作動されて、前記上球受け皿１４に貯留されたパチンコ球が前記遊技盤２０の遊技領域２０ａに向けて１球ずつ発射されるようになっている。ここで、操作レバー１６ａの回動量に応じて前記球発射装置によるパチンコ球の打球力が強弱変化するよう構成されている。
【００１７】
前記パチンコ機１０において前記前枠１３の前方から視認できない位置(具体的には、中枠１２の後面側や遊技盤２０の後面側)には、パチンコ機１０に関する統括的な制御を行う主制御基板３３(図１１参照)が配設されると共に、主制御基板３３からの制御信号に基づいて演出に関する制御を行う演出制御基板３４(図１１参照)が配設されている。この演出制御基板３４は、主制御基板３３からの制御信号を受けて前記図柄表示装置１７の表示内容を制御したり、図柄変動演出に合わせて前記枠ランプ１９や可動演出装置６０,７０,８０(後述)等の発光態様を制御したり、図柄変動演出に合わせて前記スピーカ１８の音出力態様を制御したり、図柄変動演出に合わせて可動演出装置６０，７０,８０に設けられる可動体６１ａ,６１ｂ,７１,８１の動作態様を制御したりするようになっている。なお、演出制御基板３４からの制御コマンドに基づいて制御を実行する他の制御基板を備え、当該他の制御基板が、枠ランプ１９や可動演出装置６０,７０,８０の発光態様を制御したり、スピーカ１８の音出力態様を制御したり、可動体６１ａ,６１ｂ,７１,８１の動作態様を制御したりするようにしてもよい。
【００１８】
(遊技盤２０について)
前記遊技盤２０は、アクリルやポリカーボネート等の光透過性の合成樹脂材から所定板厚の略矩形状に形成された平板状の透明板(遊技領域形成部材)であって、該遊技盤２０の裏側に前記図柄表示装置１７が着脱自在に組み付けられている。遊技盤２０の前側には、図２に示すように、略円形状に湾曲形成した案内レール２１が配設されており、該案内レール２１によって、パチンコ球が流下可能(移動可能)な略円形の遊技領域２０ａが画成されている。この遊技盤２０には、遊技領域２０ａから遊技盤２０の後方に貫通する装着口(図示せず)が適宜位置に開設されており、各装着口には、パチンコ球が入賞可能な入賞口を有する入賞装置(例えば、パチンコ球が入賞可能な始動入賞口３０が設けられた始動入賞装置２９や、パチンコ球が入賞可能となる特別入賞口３２が設けられた特別入賞装置３１)や、画像表示面１７ａの前方位置に表示窓口２５ａが前後に開口するよう形成された枠状装飾体２５といった各種の遊技部品が前側から取り付けられる。また、遊技領域２０ａの最下部位置には、該遊技領域２０ａに打ち出されたパチンコ球を排出するアウト口２２が開設されている。実施例のパチンコ機１０は、パチンコ球が遊技領域２０ａを流下して始動入賞口３０に入賞した場合に、当該入賞(当り判定条件の成立)を契機として特図当り判定(当り判定)が実行され、この当り判定の結果が当りの判定となることで、特別入賞口３２へのパチンコ球の入賞が許容されて遊技者に有利な特別遊技(当り遊技)が生起されるようになっている。なお、遊技盤２０は、ベニヤ材や合成樹脂材等の非光透過性の板部材の表面に装飾シール等を貼付したものであってもよい。
【００１９】
(設置部材５０について)
前記遊技盤２０の後面には、部品を設置可能な設置部材５０が取り付けられている。図３に示すように、設置部材５０は、後端部を構成する略矩形状の背面板５１と、この背面板５１の外周縁から前方に延在する上下および左右の側板５２とにより全体として前側が開口する箱状に構成されている。そして、背面板５１および上下左右の側板５２により、部品を収容可能な収容空間５３が遊技盤２０の後側に画成されている。すなわち、設置部材５０は、収容空間５３を画成する空間画成部材として機能している。
【００２０】
前記設置部材５０には、背面板５１を後側から覆うように図柄表示装置１７が取り付けられており、背面板５１には、前後に開口する表示用開口５１ａ(図３および図４参照)が形成されて、前記図柄表示装置１７の画像表示面１７ａが設置部材５０の前側から視認可能に表示用開口５１ａに臨んでいる。表示用開口５１ａは、前記枠状装飾体２５の表示窓口２５aの後方位置に形成されており、表示用開口５１ａに臨む画像表示面１７ａが枠状装飾体２５の表示窓口２５ａを通じて遊技盤２０の前側から視認し得るようになっている。図柄表示装置１７の後側には、図示しない基板ケースに収容された前記演出制御基板３４が着脱可能に取り付けられている。そして、図柄表示装置１７や演出制御基板３４の下方には、演出制御基板３４を制御する主制御基板３３が、図示しない基板ケースに収容されて背面板５１の後方位置に配設されている。なお、背面板５１は、前記図柄表示装置１７の取付部位よりも下側に設けた背面設置凹部５５(図４参照)が前側に偏倚するよう設けられ、背面設置凹部５５には、主制御基板３３との電気的な接続を中継するメイン中継ユニット３５が配設されている。
【００２１】
図３に示すように、前記収容空間５３には、可動演出および発光演出を行う可動体６１Ｔ,６１Ｕ,７１,８１を備えた可動演出装置６０,７０,８０や、遊技盤２０の前側から視認可能な電飾パネル５４等の各種演出手段が設置されており、これらの演出手段が図柄表示装置１７での図柄変動演出に合せて演出を行うように構成されている。そして、収容空間５３には、前記可動演出装置６０,７０,８０の構成部品として、複数の電気部品(後述する駆動手段６２,７２,８２、原位置センサ６３,７３,８３および発光基板６４ａ,６４ｂ,７４,８４等)が収容されている。また、収容空間５３には、電飾パネル５４を構成する電気部品として、図示しない発光基板等が収容されている。これらの電気部品は、収容空間５３の外側に配置される演出制御基板３４に対して中継基板３６,３７,３８を介して電気的に接続されている。また、実施例では、電気部品の一部(発光基板６４ａ,６４ｂ,７４,８４)と中継基板３６,３７,３８との間に接続基板３９,４０,４１が配線接続されている。接続基板３９,４０,４１は、フラットケーブルにより電気部品(発光基板６４ａ,６４ｂ,７４,８４)と接続されている。
【００２２】
図４に示すように、前記背面板５１には、設置部材５０の上側の側板５２と連なる上縁部の左右方向一端部に、上端部から下側へ向かうにつれて後方へ偏倚する傾斜状の傾斜壁部５６が形成されている。そして、傾斜壁部５６には、収容空間５３に配設された後述する上中継基板３６から引き出される配線を挿通するための配線挿通口５６ａが形成されている。配線挿通口５６ａは、前記図柄表示装置１７の側面近傍と、収容空間５３の左上隅部(後述する配線処理部１００)とを前後に連通している。また、背面板５１の背面設置凹部５５には、前記メイン中継ユニット３５の取付位置を避けた位置に、収容空間５３に配設された後述する下中継基板３７の制御側コネクタ接続部ＣＮａを露出させるコネクタ露出口５５aが形成されている。
【００２３】
図３に示すように、前記収容空間５３に収容された複数の可動演出装置６０,７０,８０は、前記設置部材５０の背面板５１に取り付けられている。具体的に、図３に示すように、表示用開口５１ａの上側には、上可動体６１Ｔ,６１Ｕを動作可能に設けた上可動演出装置６０が配設されている。また、表示用開口５１aの下側には、下可動体７１を動作可能に設けた下可動演出装置７０が配設されている。更に、表示用開口５１aの右側には、右可動体８１を動作可能に設けた右可動演出装置８０が、上下に離間して２組配設されている。このように、複数の可動演出装置６０,７０,８０は、表示用開口５１ａの周囲に分散配置されている。
【００２４】
図３に示すように、各可動演出装置６０,７０,８０には、可動体６１Ｔ,６１Ｕ,７１,８１を駆動する電気部品としての駆動手段６２,７２,８２が設けられている。駆動手段６２,７２,８２は、例えば回転駆動力を導出する電動モータであり、ギヤ等の動力伝達手段を介して可動体６１Ｔ,６１Ｕ,７１,８１と連結されている。可動体６１Ｔ,６１Ｕ,７１,８１は、常には原位置(図５に示す位置)に位置しており、駆動手段６２,７２,８２からの駆動力が動力伝達手段を介して伝達されることで所定の動作(可動演出)を実行するように構成されている。また、各可動演出装置６０,７０,８０には、可動体６１Ｔ,６１Ｕ,７１,８１を検出する電気部品としての原位置センサ６３,７３,８３が設けられており、可動体６１Ｔ,６１Ｕ,７１,８１が原位置にある状態で原位置センサ６３,７３,８３が可動体６１Ｔ,６１Ｕ,７１,８１を検出するように構成されている。
【００２５】
実施例の前記可動体６１Ｔ,６１Ｕ,７１,８１は、待機位置(原位置、図４参照)と、待機位置よりも収容空間５３の中央側(遊技盤２０の中央側)に位置する動作位置(図３参照)との間で変位するよう構成されている。具体的に説明すると、可動体６１Ｔ,６１Ｕ,７１,８１は、待機位置を一方の移動端として、動作位置へ向けて変位可能に構成されている。そして、待機位置にある状態では、設置部材５０の上下および左右の側板５２に近接し、収容空間５３の前端部に配設された電飾パネル５４(図１０参照)の後側に少なくとも一部が隠れるようになっている。なお、電飾パネル５４は、設置部材５０の前端部において画像表示面１７ａの前方を避けて上下および左右の側板５２の内側に沿うよう環状に設けられ、駆動手段や原位置センサや発光基板等の電気部品を備えている。また、可動体６１Ｔ,６１Ｕ,７１,８１は、待機位置から最も離間した動作位置(他方の移動端)にある状態では、電飾パネル５４から露出して画像表示面１７ａの前側(すなわち、表示用開口５１aの前側)に位置すると共に、枠状装飾体２５の表示窓口２５ａに後側から臨むようになっている。なお、電飾パネル５４の一部には、図１０に示すように、パネル基部５４ａに対してパネル扉５４ｂを左右方向にスライド移動可能に設けたものが採用されている。
【００２６】
ここで、上可動体６１Ｔ,６１Ｕ、下可動体７１および右可動体８１は、図３に示すように、待機位置から動作位置に変位した際に各可動体６１Ｔ,６１Ｕ,７１,８１が有する意匠構成部６１ｂ,７１ｂ,８１ａが集合して、複数の意匠構成部６１ｂ,７１ｂ,８１ｂによって一体的な１つの意匠体(実施例では、「義」の文字を象った意匠体)Ｄを構成するようになっている。なお、上可動演出装置６０には、上可動体６１Ｔ,６１Ｕが複数(実施例では２つ)組み付けられており、各上可動体６１Ｔ,６１Ｕが共通の上駆動手段６２からの駆動力を受けて待機位置および動作位置の間で変位するようになっている。すなわち、複数の上可動体６１Ｔ,６１Ｕと、複数の右可動体８１,８１と、下可動体７１とで意匠体Ｄを構成するようになっている。なお、以下の説明では、複数(２つ)の上可動体６１Ｔ,６１Ｕのうち動作位置で上側(待機位置で右側)に位置する上可動体を「第１上可動体６１Ｔ」と指称し、動作位置で下側(待機位置で左側)に位置する上可動体を「第２上可動体６１Ｕ」と指称することがある。
【００２７】
(下可動演出装置７０について)
図３に示すように、前記下可動演出装置７０は、前記設置部材５０(背面板５１の内壁面)に取り付けられる下可動ベース部材７０Ａを備え、この下可動ベース部材７０Ａに、前後方向に延在する下揺動軸７５を中心として揺動する前記下可動体７１と、下可動体７１を駆動する下駆動手段７２と、下可動体７１に設けられた図示しない被検出片を検出する下原位置センサ７３とが取り付けられている。図１１に示すように、電気部品としての下駆動手段７２および下原位置センサ７３は、背面板５１の内壁面に配設された下中継基板３７と夫々配線接続され、下中継基板３７を介して演出制御基板３４と電気的に接続されている。前記下可動体７１は、下揺動軸７５を中心として揺動する可動アーム７１ａと、この可動アーム７１ａの延出端部に設けられた前記意匠構成部７１ｂと、この意匠構成部７１ｂに配設された電気部品としての下発光基板７４とを備えている。下可動体７１の意匠構成部７１ｂは、前面を形成する部位の少なくとも一部が光透過性の合成樹脂材により形成され、下発光基板７４の前面に設けた図示しない発光体(ＬＥＤ)から前方へ向けて照射される光を受けて点灯するようになっている。図１１に示すように、下発光基板７４は、下中継基板３７と横並びで背面板５１に配設された下接続基板４０と配線接続され、下接続基板４０は、下中継基板３７と配線接続されている。すなわち、下発光基板７４は、下接続基板４０および下中継基板３７を介して演出制御基板３４と電気的に接続されている。
【００２８】
前記下可動体７１が待機位置にある場合には、図５に示すように、前記可動アーム７１ａが揺動左端に位置して下揺動軸７５から左上方に延出する状態となり、意匠構成部７１ｂが左側の側板５２に近接して電飾パネル５４(図１０参照)と背面板５１との前後間に収納されるようになる。一方で、下可動体７１が待機位置から動作位置に変位した場合には、可動アーム７１ａが揺動右端へ向けて回動して下揺動軸７５から右上方に延出する状態となり、意匠構成部７１ｂが電飾パネル５４と背面板５１との前後間から画像表示面１７ａの前方へと露出する。
【００２９】
(下中継基板３７について)
図３および図４に示すように、前記下中継基板３７には、演出制御基板３４に繋がる配線のコネクタが接続される制御側コネクタ接続部ＣＮａが、該下中継基板３７の後面に配設されると共に、収容空間５３に収容された電気部品に繋がる配線のコネクタが接続される部品側コネクタ接続部ＣＮｂが、該下中継基板３７の前面に複数配設されている。具体的に、複数の部品側コネクタ接続部ＣＮｂには、前記下駆動手段７２からの配線のコネクタや、前記下原位置センサ７３からの配線のコネクタや、前記右中継基板３８に繋がる配線のコネクタや、前記右接続基板４１に繋がる配線のコネクタが接続される。ここで、下中継基板３７の後面に配設された制御側コネクタ接続部ＣＮａは、前記背面板５１の背面設置凹部５５に開設された前記コネクタ露出口５５aを介して設置部材５０の後方に突出するように構成されている。このように、下中継基板３７を収容空間５３に設けて部品側コネクタ接続部ＣＮｂに繋がる配線を収容空間５３内に収容することで、設置部材５０の後面側には制御側コネクタ接続部ＣＮａに繋がる配線のみが露出することになる。すなわち、設置部材５０の後面側に取り回される配線を少なくできることで、設置部材５０の後面側で配線の取り回しが煩雑になるのを防止すると共に、配線の断線等の発生を防止している。
【００３０】
(右可動演出装置８０について)
図３に示すように、上下２組の前記右可動演出装置８０は夫々、前記設置部材５０(背面板５１の内壁面)に取り付けられる右可動ベース部材８０Ａを備え、この右可動ベース部材８０Ａに、前後方向に延在する右揺動軸８５を中心として揺動する前記右可動体８１と、右可動体８１を駆動する右駆動手段８２と、右可動体８１に設けられた図示しない被検出片を検出する右原位置センサ８３とが取り付けられている。図１１に示すように、電気部品としての右駆動手段８２および右原位置センサ８３は、背面板５１の内壁面に配設された右中継基板３８と配線接続され、右中継基板３８および下中継基板３７を介して演出制御基板３４と電気的に接続されている。前記右可動体８１は、前記右揺動軸８５から径方向に延出すると共に右揺動軸８５を中心として揺動する可動アーム８１ａと、この可動アーム８１ａの延出端部に設けられた前記意匠構成部８１ｂと、この意匠構成部８１ｂに配設された電気部品としての右発光基板８４とを備えている。右可動体８１の意匠構成部８１ｂは、前面を形成する部位の少なくとも一部が光透過性の合成樹脂材により形成され、右発光基板８４の前面に設けた図示しない発光体(ＬＥＤ)から前方へ向けて照射される光を受けて点灯するようになっている。図１１に示すように、右発光基板８４は、背面板５１に配設された右接続基板４１と配線接続され、右接続基板４１は、前記下中継基板３７と配線接続されている。すなわち、右発光基板８４は、右接続基板４１および下中継基板３７を介して演出制御基板３４と電気的に接続されている。
【００３１】
(右中継基板３８について)
図３に示すように、前記右中継基板３８には、下中継基板３７に繋がる配線のコネクタが接続される制御側コネクタ接続部ＣＮａが前面左部に配設されると共に、収容空間５３に収容された電気部品に繋がる配線のコネクタが接続される部品側コネクタ接続部ＣＮｂが前面右部に複数配設されている。具体的に、複数の部品側コネクタ接続部ＣＮｂには、上下の前記右可動演出装置８０に設けられた右駆動手段８２からの配線のコネクタや、上下の前記右可動演出装置８０,８０に設けられた右原位置センサ８３からの配線のコネクタが接続される。このように、右中継基板３８を収容空間５３に設けて部品側コネクタ接続部ＣＮｂに繋がる配線を収容空間５３内に収容すると共に、右中継基板３８の後面には演出制御基板３４と直接的に繋がる配線と接続せず、下中継基板３７に配線接続するように構成することで、設置部材５０の後面側に取り回される配線を少なくして、設置部材５０の後面側で配線の取り回しが煩雑になることや、配線の断線等の発生を防止し得るようになっている。
【００３２】
また、前記右中継基板３８の前面側には、制御側コネクタ接続部ＣＮａの配設領域と部品側コネクタ接続部ＣＮｂの配設領域との間に所定の間隙が形成されており、この間隙には、入賞口に入賞したパチンコ球を排出するための球排出通路２７が上下に通過するよう設けられて、該球排出通路２７の後面が右中継基板３８の前面に当接している。すなわち、球排出通路２７は、右中継基板３８が背面板５１の内壁面から前側に外れるのを規制する規制部材(基板押え)として機能している。
【００３３】
(上可動演出装置６０について)
図３、図５、図６および図７に示すように、前記上可動演出装置６０は、前記設置部材５０(背面板５１の内壁面)に取り付けられる上可動ベース部材６０Ａを備え、この上可動ベース部材６０Ａに、前後方向に延在する第１上揺動軸６５Ｔを中心として揺動する前記第１上可動体６１Ｔと、前後方向に延在する第２上揺動軸６５Ｕを中心として揺動する前記第２上可動体６１Ｕと、第１上可動体６１Ｔおよび第２上可動体６１Ｕを駆動する上駆動手段６２と、第２上可動体６１Ｕに設けられた被検出片６６を検出する上原位置センサ６３とが取り付けられている。図１１に示すように、電気部品としての上駆動手段６２および上原位置センサ６３は、背面板５１の内壁面に配設された上中継基板３６(図３および図６参照)と配線接続され、上中継基板３６を介して演出制御基板３４と電気的に接続されている。前記第１上可動体６１Ｔは、複数の前記第１上揺動軸６５Ｔから径方向に並行して延出すると共に第１上揺動軸６５Ｔを中心として揺動する複数の可動アーム６１ａと、この可動アーム６１ａの延出端部に設けられた前記意匠構成部６１ｂと、この意匠構成部６１ｂに配設された電気部品としての第１上発光基板６４ａとを備えている。また、前記第２上可動体６１Ｕは、前記第２上揺動軸６５Ｕから径方向に延出すると共に第２上揺動軸６５Ｕを中心として揺動する可動アーム６１ａと、この可動アーム６１ａの延出端部に設けられた前記意匠構成部６１ｂと、この意匠構成部６１ｂに配設された電気部品としての第２上発光基板６４ｂとを備えている。第１上可動体６１Ｔおよび第２上可動体６１Ｕの各意匠構成部６１ｂ,６１ｂは、前面を形成する部位の少なくとも一部が光透過性の合成樹脂材により形成され、第１上発光基板６４ａおよび第２上発光基板６４ｂの各前面に設けた図示しない発光体(ＬＥＤ)から前方へ向けて照射される光を受けて点灯するようになっている。図１１に示すように、電気部品としての第１上発光基板６４ａおよび第２上発光基板６４ｂは、上可動ベース部材６０Ａの左端部に位置する後述する取付面部６７の前面に配設された上接続基板３９(図６および図７参照)と配線接続され、上接続基板３９は、上中継基板３６と配線接続されている。すなわち、第１上発光基板６４ａおよび第２上発光基板６４ｂは、上接続基板３９および上中継基板３６を介して演出制御基板３４と電気的に接続されている。
【００３４】
前記第１上可動体６１Ｔが待機位置にある場合には、前記可動アーム６１ａが揺動右端に位置して第１上揺動軸６５Ｔから右方に延出する状態となり、意匠構成部６１ｂが上側の側板５２に近接して電飾パネル５４と背面板５１との前後間に収納されるようになる。一方で、第１上可動体６１Ｔが待機位置から動作位置に変位した場合には、可動アーム６１ａが揺動左端へ向けて回動して第１上揺動軸６５Ｔから下方に延出する状態となり、意匠構成部６１ｂが電飾パネル５４(図１０参照)と背面板５１との前後間から画像表示面１７ａの前方へと露出する。また、前記第２上可動体６１Ｕが待機位置にある場合には、前記可動アーム６１ａが揺動左端に位置して第２上揺動軸６５Ｕから左方に延出する状態となり、意匠構成部６１ｂが左側の側板５２に近接して電飾パネル５４と背面板５１との前後間に収納されるようになる。一方で、第２上可動体６１Ｕが待機位置から動作位置に変位した場合には、可動アーム６１ａが揺動右端へ向けて回動して第２上揺動軸６５Ｕから下方に延出する状態となり、意匠構成部６１ｂが電飾パネル５４と背面板５１との前後間から画像表示面１７ａの前方へと露出する。
【００３５】
前記上可動演出装置６０に設けた前記第１上可動体６１Ｔは、第１上揺動軸６５Ｔの軸線方向視(正面視)において、待機位置および動作位置の間の移動軌跡が、前記上側の右可動体８１の待機位置および動作位置の間の移動軌跡と重なるようになっている。ここで、第１上可動体６１Ｔは、前記意匠体Ｄを構成する場合に上側の右可動体８１との干渉を回避し得るように、上側の右可動体８１を待機位置から動作位置へ向けて移動開始させる前に、動作位置まで移動させるよう演出制御基板３４に制御されるようになっている。また、前記第２上可動体６１Ｕは、第２上揺動軸６５Ｕの軸線方向視において、待機位置および動作位置の間の移動軌跡が、前記下可動体７１の待機位置および動作位置の間の移動軌跡と重なるようになっている。ここで、第２上可動体６１Ｕは、前記意匠体Ｄを構成する場合に下可動体７１との干渉を回避し得るように、下可動体７１に対して第２上揺動軸６５Ｕの軸線方向後側に偏倚した位置を揺動するよう構成されている。すなわち、第２上可動体６１Ｕと下可動体７１とは、正面視で移動軌跡が重なるものの、実際には前後に異なる位置を移動するため、意匠体Ｄを構成する際に相互に干渉しないようになっている。
【００３６】
(上中継基板３６について)
図５および図７に示すように、前記上中継基板３６には、演出制御基板３４に繋がる配線のコネクタが接続される制御側コネクタ接続部ＣＮａが後面(一方の基板面)に配設されると共に、収容空間５３に収容された電気部品に繋がる配線のコネクタが接続される部品側コネクタ接続部ＣＮｂが前面に複数配設されている。具体的に、複数の部品側コネクタ接続部ＣＮｂには、前記上駆動手段６２からの配線のコネクタや、前記上原位置センサ６３からの配線のコネクタや、前記上接続基板３９に繋がる配線のコネクタが接続されている。このように、上中継基板３６を収容空間５３に設けて部品側コネクタ接続部ＣＮｂに繋がる配線を収容空間５３内に収容することで、設置部材５０の後面側には制御側コネクタ接続部ＣＮａに繋がる配線のみが配線挿通口５６ａを通じて設置部材５０の後面側に引き出される。すなわち、設置部材５０の後面側に取り回される配線を少なくできることで、設置部材５０の後面側で配線の取り回しが煩雑になるのを防止して、配線の断線等の発生を防止している。また、上接続基板３９には、第１上発光基板６４ａおよび第２上発光基板６４ｂからの配線を１つに纏めて上中継基板３６に配線接続するよう構成されている。上中継基板３６と上接続基板３９とは、前後方向(基板面方向)に重なる状態で収容空間５３に配置することで、上中継基板３６および上接続基板３９を一枚の基板として収容空間５３に設ける場合と較べて、収容空間５３において基板面と平行な方向に占有するスペースを縮小している。なお、上中継基板３６や上接続基板３９は、収容空間５３内において下可動体７１と前後位置で重なると共に、下可動体７１の待機位置および動作位置の間の移動範囲から外れた位置(後述する配線処理部１００)に配置されている。具体的には、図１０に示すように、上中継基板３６および上接続基板３９が前後に重なる状態で待機位置にある下可動体７１の上側に隣接して配置されている。
【００３７】
図５に示すように、前記上中継基板３６には、固定ネジ(固定手段)を挿通する通孔３６ａが形成されている。そして、この通孔３６ａに挿通した固定ネジを、後述する被覆部材９０の基板固定部９３に螺挿することで、上中継基板３６を被覆部材９０に固定し得るようになっている。なお、上中継基板３６は、被覆部材９０によって後面を被覆された状態で、収容空間５３の左上隅部(後述する配線処理部１００)に位置するように背面板５１に配設される(図１０参照)。
【００３８】
(被覆部材９０について)
図７および図８に示すように、前記被覆部材９０は、前側が開放した箱状に形成されている。具体的には、前記上中継基板３６の後面を被覆する後壁９１が上中継基板３６の外形に略整合する形状に形成されると共に、上中継基板３６の外周端面に対向する周壁９２が、後壁９１の外周縁から前方に延出するよう形成されている。この被覆部材９０は、透明な合成樹脂により形成されており、後壁９１や周壁９２により被覆される上中継基板３６の後面や外周端面の視認性が確保されている。
【００３９】
図７および図８に示すように、前記被覆部材９０には、前記上中継基板３６の一側部の前面と係合して前方への移動を規制する係合片９５が、周壁９２の前端部から内方に突出するよう形成されている。なお、上中継基板３６は、上部が下部よりも右方に延出して幅広に形成されており、被覆部材９０もこれに合わせて上部が右方に大きく形成されている。そして、幅広とされた被覆部材９０の上部の右側部に、上下一対の係合片９５が形成されている。これにより、基板固定部９３と通孔３６ａとを固定ネジにより固定する前に、上中継基板３６の上部の右側部を係合片９５に係合させて位置合わせし得るようになっている。また、前記被覆部材９０の後壁９１には、前記上中継基板３６の通孔３６ａに前側から挿通させた固定ネジが螺挿されて上中継基板３６を固定するための基板固定部９３が、周壁９２の内側で前方に突出するよう形成されている。
【００４０】
前記周壁９２の内周面には、前記上中継基板３６の外周端面に当接する当接部９６が内方に突出するよう形成されている。当接部９６は、周壁９２の延在方向に相互に離間するよう複数設けられている。また、当接部９６は、周壁９２の内面および後壁９１の前面に沿って延出して断面視Ｌ字状に屈曲する突壁とされ、後壁９１の前面に沿う部分(後壁９１の前面から前方に突出する部分)が、上中継基板３６の後面に当接するようになっている。なお、基板固定部９３は、突出端面が上中継基板３６の後面を支持するよう設けられ、当接部としても機能している。すなわち、被覆部材９０は、周壁９２および後壁９１の内側で当接部９６によって上中継基板３６を保持することで、上中継基板３６との間に適宜の隙間を形成して上中継基板３６の周囲の空気循環を促して上中継基板３６の高温化を防止している。
【００４１】
図８(ａ)および図９に示すように、前記後壁９１には、前記上中継基板３６の制御側コネクタ接続部ＣＮａを挿通させるコネクタ挿通口９７が形成されている。コネクタ挿通口９７は、前記上中継基板３６の制御側コネクタ接続部ＣＮａの外形よりやや大きな内縁形状に形成されており、該コネクタ挿通口９７以外の部分では、後壁９１が上中継基板３６の後面の略全体を被覆し得るように構成されている。ここで、被覆部材９０に上中継基板３６を取り付けた状態では、制御側コネクタ接続部ＣＮａがコネクタ挿通口９７から被覆部材９０の後方へ突出するようになっている。
【００４２】
図５および図８に示すように、前記被覆部材９０には、設置部材５０に固定される部位として嵌合部９４が設けられている。実施例では、被覆部材９０の上縁および下縁を形成する周壁９２から上方および下方に突出するよう嵌合部９４が設けられると共に、被覆部材９０において右方に延出する部分の周壁９２から下方に突出するよう嵌合部９４が設けられ、各嵌合部９４に、固定ネジが前側から挿通される挿通孔９４ａが前後に貫通するよう形成されている。そして、被覆部材９０は、後述する配線処理部１００に設けた載置ボス部１０２に嵌合部９４を嵌合した状態で、該嵌合部９４の挿通孔９４ａに挿通した固定ネジを載置ボス部１０２に螺挿することで、載置部１０１の前側に被覆部材９０(上中継基板３６)が固定されるようになっている。
【００４３】
(配線処理部１００について)
図７に示すように、設置部材５０の上側の側板５２および左側の側板５２と背面板５１とで画成される収容空間５３の左上隅部には、上可動演出装置６０等に関する配線を処理するための配線処理部１００が設けられている。配線処理部１００は、上中継基板３６を設置し得るように構成され、上中継基板３６に繋がる配線が取り回されるようになっている。ここで、配線処理部１００には、配線挿通口５６ａが形成されており、設置部材５０の後面側に配設された演出制御基板３４と繋がる配線のコネクタが制御側コネクタ接続部ＣＮａに接続されるようになっている。
【００４４】
図６および図７に示すように、前記配線処理部１００には、設置部材５０における背面板５１から上側の側板５２および左側の側板５２に沿って前方に突出する載置部１０１が設けられている。載置部１０１の前端面には、前方へ突出するよう載置ボス部１０２が形成されており、載置ボス部１０２に嵌合部９４を嵌合させて固定ネジで固定することにより、被覆部材９０が収容空間５３の配線処理部１００に固定される。すなわち、被覆部材９０は、載置ボス部１０２と嵌合部９４とが嵌合した状態で背面板５１から前方に離間する位置で固定されて、被覆部材９０と背面板５１との間に間隙が形成されるようになっている。なお、取付面部６７にも、載置ボス部１０２が設けられており、被覆部材９０における右側部の嵌合部９４が嵌合して固定ネジにより固定されるようになっている。すなわち、被覆部材９０は、配線処理部１００において、設置部材５０の載置部１０１と、上可動演出装置６０の取付面部６７とに夫々設けられた載置ボス部１０２に固定されるようになっている。
【００４５】
図７に示すように、前記載置部１０１の前端面には、前記載置ボス部１０２の他に、該載置ボス部１０２よりも突出寸法の大きなパネル用ボス部１０３が設けられており、このパネル用ボス部１０３の前端部に当接させて固定された電飾パネル５４のパネル基部５４ａ(図１０参照)が、被覆部材９０の前側に取り付けられた上中継基板３６を前側から覆うように配置されている。そして、パネル基部５４ａの後面が、前記配線処理部１００の前側を画成している。すなわち、上中継基板３６は、パネル基部５４ａと被覆部材９０との間に配置されている。ここで、パネル基部５４ａと被覆部材９０との間において、上中継基板３６の前面に設けた複数の部品側コネクタ接続部ＣＮｂに繋がる配線(上駆動手段６２や上原位置センサ６３から引き出された配線や、上接続基板３９から引き出された配線や、パネル基部５４ａから引き出された配線)の取り回し領域５７とされている。そして、パネル基部５４ａが上中継基板３６の前面を被覆することで、上中継基板３６の前面(部品側コネクタ接続部ＣＮｂ)に繋がる配線が、パネル基部５４ａの前側で移動する前記パネル扉５４ｂと接触しないようになっている。これにより、パネル扉５４ｂへの配線の引っ掛かりによる配線の断線等の不具合が生じるのを防いでいる。
【００４６】
ここで、前記被覆部材９０および前記背面板５１の間には、図５および図８(ｂ)に示すように、上接続基板３９が配置される基板配置領域Ｘ１と、上中継基板３６の制御側コネクタ接続部ＣＮａが配置される接続部配置領域Ｘ２と、第２上可動体６１Ｕ(具体的には、可動アーム６１ａ)が移動可能な可動領域Ｘ３とが設けられている。なお、便宜上、配線処理部１００として、取り回し領域５７、基板配置領域Ｘ１および接続部配置領域Ｘ２の他に、可動領域Ｘ３も含むこととする。
【００４７】
図５および図８(ｂ)に示すように、前記基板配置領域Ｘ１には、表示用開口５１ａの上側に配置された上可動演出装置６０の左端部が配置されている。前述したように、この上可動演出装置６０の左端部には、上接続基板３９を取り付けるための取付面部６７が形成されており、取付面部６７の前面に上接続基板３９が配設されている。すなわち、基板配置領域Ｘ１には、被覆部材９０および背面板５１の間に上接続基板３９が配置されると共に、被覆部材９０および上接続基板３９の間で、上中継基板３６の後面に設けた制御側コネクタ接続部ＣＮａに繋がる配線(上接続基板３９の前面から引き出されて第１上発光基板６４ａおよび第２上発光基板６４ｂに繋がる配線)が取り回されている。そして、被覆部材９０が上中継基板３６の後面を被覆することで、上接続基板３９に繋がる配線が上中継基板３６の後面と接触しないようになっている。これにより、上接続基板３９および上中継基板３６の破損等の不具合が生じるのを防いでいる。
【００４８】
図７に示すように、前記基板配置領域Ｘ１の左側には、接続部配置領域Ｘ２が設けられており、上中継基板３６の後面から後方に突出するよう設けられた制御側コネクタ接続部ＣＮａが、取付面部６７および上接続基板３９の左側に並んでいる。なお、基板配置領域Ｘ１および接続部配置領域Ｘ２は、背面板５１から前方に延出して上下に延在するように設けられた隔壁１０４で区画されている。接続部配置領域Ｘ２の上部後側は、前記背面板５１の上縁部に設けられた前記傾斜壁部５６により画成されており、該傾斜壁部５６に形成された配線挿通口５６ａが、制御側コネクタ接続部ＣＮａの後方に位置している。ここで、配線挿通口５６ａは、制御側コネクタ接続部ＣＮａの下端より上側に設けられている。すなわち、上中継基板３６の制御側コネクタ接続部ＣＮａから配線挿通口５６ａを通過して設置部材５０の後側に引き出される配線を、配線挿通口５６ａの開口下縁によって斜め上方へ案内することができることで、制御側コネクタ接続部ＣＮａに繋がる配線に対して後述する可動領域Ｘ３を移動する第２上可動体６１Ｕが引っ掛かる不具合を防止し得るように構成されている。
【００４９】
ここで、前記基板配置領域Ｘ１および接続部配置領域Ｘ２は、上側の側板５２に沿う載置部１０１の下側近傍に形成されて、被覆部材９０の上部に対して後側に重なるように設けられている。そして、基板配置領域Ｘ１および接続部配置領域Ｘ２の下側には、第２上可動体６１Ｕにおける可動アーム６１ａの可動領域Ｘ３が、被覆部材９０の下部に重なるように設けられている。上接続基板３９の下側近傍(取付面部６７の下部)に位置する可動領域Ｘ３の上端部には、前記上原位置センサ６３が配置されており、該上原位置センサ６３によって可動アーム６１ａの前記被検出片６６を検出するよう構成されている。このように、背面板５１から前方に離間した位置に被覆部材９０が設けられると共に、被覆部材９０および背面板５１の間において上接続基板３９や制御側コネクタ接続部ＣＮａが上側に集約配置されることで、被覆部材９０の後側に第２上可動体６１Ｕの可動領域Ｘ３が確保されている。そして、被覆部材９０が上中継基板３６の後面を被覆することで、第２上可動体６１Ｕの可動アーム６１ａが上中継基板３６の後面と接触しないようになっている。これにより、上中継基板３６の破損等が生じるのを防いでいる。
【００５０】
〔実施例１の作用〕
次に、前述のように構成された実施例に係るパチンコ機１０の作用につき説明する。
【００５１】
実施例のパチンコ機１０は、上駆動手段６２、上原位置センサ６３、第１上発光基板６４ａ、第２上発光基板６４ｂ、下駆動手段７２、下原位置センサ７３、下発光基板７４等ａの電気部品を収容する収容空間５３を画成する設置部材５０を遊技盤２０の後側に備えており、この設置部材５０の後面側(収容空間５３の外側)には可動演出装置６０,７０,８０等を制御する演出制御基板３４が配置されている。そして、演出制御基板３４と、複数の電気部品６２,６３,６４ａ,６４ｂ,７２,７３,７４との接続を中継する上中継基板３６や下中継基板３７を備えている。ここで、上中継基板３６は、収容空間５３(基板配置領域Ｘ１)に配設されている。そして、上中継基板３６と演出制御基板３４側とを接続する配線を、設置部材５０に形成された配線挿通口５６ａに挿通させると共に、上中継基板３６と電気部品６２,６３,６４ａ,６４ｂ側とを接続する配線を、収容空間５３に収容している。すなわち、実施例のパチンコ機１０では、上中継基板３６を収容空間５３に配置することで、当該上中継基板３６の破損を防止することができる。また、電気部品６２,６３,６４ａ,６４ｂの配線を収容空間５３の外側に引き出して上中継基板３６に接続する必要がないから、収容空間５３の外側での配線の取り回しを容易とすることができる。
【００５２】
また、収容空間５３に収容された第１上発光基板６４ａおよび第２上発光基板６４ｂと接続されると共に上中継基板３６と電気的に接続された上接続基板３９を備えており、上中継基板３６と上接続基板３９とが前後(基板面方向)に重なる状態で収容空間５３に配置されている。すなわち、上中継基板３６とは別体に上接続基板３９を設け、両基板３６,３９を基板面方向に重ねることで、上中継基板３６が収容空間５３において占有するスペースを上中継基板３６の基板面と平行な方向に小さくすることができるから、収容空間５３における例えば下可動体７１や第２上可動体６１Ｕ等の各種部品の設置スペースを大きく損なうことがない。
【００５３】
また、上中継基板３６は、配線挿通口５６ａに対して電気部品６２,６３,６４ａ,６４ｂよりも近接するよう収容空間５３に配設されていることにより、収容空間５３内に収容された上中継基板３６に対して演出制御基板３４側の配線を着脱し易くすることができるようになっている。
【００５４】
また、収容空間５３には、複数の電気部品６２,６３,６４ａ,６４ｂが表示用開口５１ａより上側に位置するよう設けられる一方,複数の電気部品７２,７３,７４が表示用開口５１ａより下側に位置するよう設けられている。すなわち、複数の電気部品６２,６３,６４ａ,６４ｂ,７２,７３,７４は、収容空間５３の一方側および他方側に振り分けられて収容されている。ここで、収容空間５３の一方側に収容された複数の電気部品６２,６３,６４ａ,６４ｂが、当該一方側に配置された上中継基板３６と電気的に接続されると共に、他方側に収容された複数の電気部品７２,７３,７４が、当該他方側に配置された下中継基板３７と電気的に接続されるよう構成されている。これにより、収容空間５３に収容された電気部品６２,６３,６４ａ,６４ｂ,７２,７３,７４と中継基板３６,３７とを接続するための配線が過度に長くなるのを防止できるから、収容空間５３における配線の取り回しを容易とすることができる。
【００５５】
上中継基板３６は、演出制御基板３４に繋がる配線のコネクタが接続される制御側コネクタ接続部ＣＮａが後面に配設されており、該制御側コネクタ接続部ＣＮａが背面板５１に設けた配線挿通口５６ａに臨んでいる。ここで、パチンコ機１０は、上中継基板３６の後面を覆う被覆部材９０を備えており、該被覆部材９０には、制御側コネクタ接続部ＣＮａを挿通させて配線挿通口５６ａに臨ませるコネクタ挿通口９７が形成されている。すなわち、演出制御基板３４側の配線を配線挿通口５６ａから制御側コネクタ接続部ＣＮａに接続させ得る構成としつつ、収容空間５３の外側から配線挿通口５６ａを介して上中継基板３６の後面に加工を施すといった不正行為を防止することができる。また、被覆部材９０が上中継基板３６の後面を被覆することで、上接続基板３９に繋がる配線や、第２上可動体６１Ｕの可動アーム６１ａが上中継基板３６の後面と接触しないようになっている。これにより、上接続基板３９および上中継基板３６の破損等が発生するのを防止できる。
【００５６】
更に、パチンコ機１０は、上駆動手段６２により待機位置および動作位置に変位するよう駆動される第２上可動体６１Ｕを収容空間５３に収容するよう構成されており、上中継基板３６は、収容空間５３を画成する設置部材５０(背面板５１)の内壁面から制御側コネクタ接続部ＣＮａの高さ寸法より大きく離間して、当該設置部材５０の内壁面を貫通する配線挿通口５６ａに対して制御側コネクタ接続部ＣＮａが収容空間５３の内側から臨むよう配置されている。すなわち、上中継基板３６の制御側コネクタ接続部ＣＮａは、コネクタ挿通口９７から後方に突出するものの、配線挿通口５６ａからは突出しないように接続部配置領域Ｘ２に配置されており、制御側コネクタ接続部ＣＮａの全体が収容空間５３(接続部配置領域Ｘ２)の内側に位置するよう構成されている。このように、制御側コネクタ接続部ＣＮａを設置部材５０の後側に突出させないことにより、該制御側コネクタ接続部ＣＮａの破損を防止し得る。そして、第２上可動体６１Ｕは、待機位置において上中継基板３６の後面と設置部材５０の内壁面との間に設けられた可動領域Ｘ３に少なくとも一部が位置するよう構成されている。すなわち、制御側コネクタ接続部ＣＮａが収容空間５３に位置することで、制御側コネクタ接続部ＣＮａの破損を防止し得る。また、設置部材５０の内壁面と上中継基板３６の後面との間に生じる間隙を、第２上可動体６１Ｕの設置スペースとして有効に利用することができる。
【００５７】
〔変更例〕
本願は前述した実施例の構成に限定されるものではなく、その他の構成を適宜に採用することができる。
(1)  実施例では、中継基板と制御基板とを配線により直接接続するように構成したが、収容空間の内側または外側に配置された他の基板を介して中継基板と制御基板とを接続するようにしてもよい。
(2)  実施例では、中継基板と制御基板とを接続する配線を１つのみ(すなわち、１つのコネクタ接続部と接続する配線のみ)設けたが、制御基板および中継基板を接続する配線を複数設けて配線挿通口に挿通させるようにしてもよい。この場合には、中継基板に設けた複数の制御側コネクタ接続部が配線挿通口に臨むように中継基板を収容空間に配置して、各制御側コネクタ接続部に対する配線のコネクタの着脱を設置部材の後側(収容空間の外側)から行い得るよう構成することが好ましい。なお、制御基板および中継基板を接続する配線を複数設ける場合には、制御基板および中継基板を接続する配線の何れかが、制御基板および中継基板を直接接続すると共に、制御基板および中継基板を接続する他の配線が、収容空間の内側または外側に配置した所定の基板を介して制御基板および中継基板を接続するよう構成してもよい。
(3)  実施例では、上中継基板(中継基板)と上接続基板(他の基板)とを前後に重ねて配置するようにしたが、下中継基板と下接続基板とを前後に重ねて配置するようにしてもよいし、右中継基板と右接続基板とを前後に重ねて配置するようにしてもよい。
(4)  実施例では、上中継基板(中継基板)と上接続基板(他の基板)とを前後に重ねて配置するようにしたが、前後に重ねず、例えば上下または左右に並列するよう設けてもよい。また、上中継基板および上接続基板の他に、下中継基板と下接続基板とを前後に重ねて配置したり、右中継基板と右接続基板とを前後に重ねて配置したりすることも可能である。
(5)  実施例では、電気部品と制御基板との電気的な接続を中継する中継基板を、背面板に設けた配線挿通口に対して電気部品より近接するように配置したが、電気部品を中継基板よりも配線挿通口に近接配置してもよい。
(6)  実施例では、電気部品と制御基板との電気的な接続を中継する中継基板のコネクタ接続部を配線挿通口に臨むように配置したが、中継基板のコネクタ接続部を配線挿通口から突出するように設けてもよいし、配線挿通口から外れた位置に設けてもよい。
(7)  実施例では、設置部材の背面板における中継基板の後方に傾斜状の傾斜壁部を設けると共に、傾斜壁部に配線挿通口を形成したが、設置部材に傾斜壁部を設けなくてもよい。この場合には、設置部材の背面板における遊技盤の後面と平行な壁部に配線挿通口を形成して、中継基板および制御基板を電気的に接続する配線を配線挿通口に挿通させるよう構成することができる。また、設置部材の側板に配線挿通口を形成してもよい。
(8)  実施例では、設置部材の背面板における表示用開口の上側に設けた傾斜壁部に配線挿通口を形成したが、配線挿通口は、背面板における表示用開口の左右一方側に設けてもよいし、背面板における表示用開口の下側(例えば、背面設置凹部)に設けてもよい。また、背面板の後側に配設される図柄表示装置は、配線挿通口を後方から覆うように配設してもよいし、配線挿通口の後方を避けた位置に配設するようにしてもよい。
(9)  実施例では、複数の電気部品を収容する収容空間を画成する設置部材(空間画成部材)の後面に制御基板を配置して、収容空間に収容した中継基板を介して制御基板が電気部品と接続するよう構成したが、複数の電気部品を収容する収容空間を画成する空間画成部材と、空間画成部材を変位可能に保持する保持部材とを備えると共に、保持部材側に制御基板を配置して、収容空間に収容した中継基板を介して電気部品と制御基板とを接続するよう構成してもよい。このような構成では、相対変位する保持部材および空間画成部材に跨る配線を少なくすることができるから、空間画成部材の保持部材に対する変位が配線により阻害されるのを防止することができる。
・  上記構成の例として、発光基板等の電気部品を収容する収容空間を画成する空間画成部材としての可動体(演出手段)と、この可動体を変位可能に保持する保持部材としての可動ベース部材と、可動ベース部材が取り付けられる設置部材とを備えると共に、設置部材または可動ベース部材に制御基板を配置して、可動体内部に画成される収容空間に収容した中継基板を介して、該収容空間に収容した発光基板等の電気部品と制御基板とを接続するよう構成することができる。なお、可動体としては、収容空間を内部に画成する可動基部と、該可動基部に設けられて少なくとも一部が収容空間内で変位する可動部とを備えると共に、収容空間における当該可動部の移動範囲を避けた位置に中継基板を配置したものが挙げられる。
・  また、上記構成における他の例としては、発光基板等の電気部品を収容する収容空間を画成する空間画成部材としての前枠(扉体)と、この前枠を変位可能に保持する保持部材としての中枠とを備えると共に、中枠に制御基板を配置して、収容空間に収容した中継基板を介して、該収容空間に収容した発光基板等の電気部品と制御基板とを接続するよう構成することができる。
(10)  遊技機としては、パチンコ機に限られるものではなく、アレンジボール機やパチンコ球を用いたスロットマシン等、その他各種の遊技機であってもよい。
例えば、スロットマシン機(回胴式遊技機)は、前方へ開口する箱状の筐体に、当該筐体の前方開口を塞ぐ前扉が開閉可能に備えられ、図柄が配列された複数の回転体が前側から視認し得るように筐体内部に配設されている。そして、遊技媒体としての規定数の遊技メダルを所定の投入口に投入した遊技開始待機状態で遊技者が所定の開始操作手段の操作を行うこと(所定の判定条件が成立したこと)を契機として、回転体が回転して図柄が変動開始すると共に、変動ゲームの当否に関連した当否判定(当り判定)を行い、所定の停止操作手段の操作を契機に、当否判定に基づく図柄停止制御を実行するよう構成された遊技機である。そして、当否判定が当りの判定結果となることで、停止操作手段の操作に基づいて所定の組合せで図柄が停止することを条件として(特別遊技生起条件が満たされることを条件として)、多数の遊技メダルを獲得可能な特別遊技(ボーナスゲームや特定の入賞役の成立確率が向上した遊技状態等)が生起されるよう制御された遊技機である。
ここで、スロットマシン機においては、筐体内部に臨む凹状の収容空間を前扉の後面に画成するよう構成したり、複数の回転体を筐体内部で保持する保持部材を設けて該保持部材により筐体内部に収容空間を画成するよう構成することができる。
【００５８】
本願には、例えば次のような技術的思想が含まれている。
請求項１記載の構成を含む遊技機に関し、
前記電気部品としての駆動手段(62)と、該駆動手段(62)により第１位置および第２位置に変位するよう駆動される可動体(61U)とが、前記収容空間(53)に収容され、
前記中継基板(36)は、前記収容空間(53)を画成する前記空間画成部材(50)の内壁面から前記コネクタ接続部(CNa)の高さ寸法より大きく離間して、当該空間画成部材(50)の内壁面を貫通する前記配線挿通口(56a)に対して前記コネクタ接続部(CNa)が前記収容空間(53)の内側から臨むよう配置され、
前記可動体(61U)は、前記第１位置において前記中継基板(36)の前記一方の基板面と前記空間画成部材(50)の前記内壁面との間に少なくとも一部が位置するよう構成されたことを要旨とする。
上記構成を含む遊技機によれば、コネクタ接続部が収容空間に位置することで、コネクタ接続部の破損を防止し得る。また、空間画成部材の内壁面と中継基板の一方の基板面との間に生じる間隙を、可動体の設置スペースとして有効に利用することができる。
【符号の説明】
【００５９】
３４ 演出制御基板(制御基板)
３６ 上中継基板(中継基板)
３７ 下中継基板(中継基板、別の中継基板)
３９ 上接続基板(他の基板)
５０ 設置部材(空間画成部材)
５３ 収容空間
５６ａ 配線挿通口
６１Ｕ 第２上可動体(可動体)
６２ 上駆動手段(電気部品、駆動手段)
６３ 上原位置センサ(電気部品)
６４ａ 第１上発光基板(電気部品、所定の電気部品)
６４ｂ 第２上発光基板(電気部品、所定の電気部品)
７２ 下駆動手段(電気部品)
７３ 下原位置センサ(電気部品)
７４ 下発光基板
９０ 被覆部材
９７ コネクタ挿通口
ＣＮａ 制御側コネクタ接続部(コネクタ接続部)
【図１】
0006257556.tif 000002
【図２】
0006257556.tif 000003
【図３】
0006257556.tif 000004
【図４】
0006257556.tif 000005
【図５】
0006257556.tif 000006
【図６】
0006257556.tif 000007
【図７】
0006257556.tif 000008
【図８】
0006257556.tif 000009
【図９】
0006257556.tif 000010
【図１０】
0006257556.tif 000011
【図１１】
0006257556.tif 000012